(57)【特許請求の範囲】
【請求項１】
空気を吸い込む入口と、吸い込んだ空気を紫外線照射してオゾンを発生させる複数の紫外線源と、空気を吐き出す出口とを備える空気清浄器において、
前記各紫外線源の外部に取り付けられた外部電極と、前記各紫外線源及び前記各外部電極に接続された紫外線源電源回路とを備え、
前記紫外線源電源回路は、前記各紫外線源及び前記各外部電極に対して前記入口側から出口側に向かって順次位相の遅れた電圧波を供給することを繰り返すことを特徴とする空気清浄器。
【請求項２】
前記紫外線源は複数本づつの複数組に分けられ、前記紫外線源電源回路は、各組の各紫外線源及び各外部電極に対して前記入口側から出口側に向かって順次位相の遅れた電圧波を供給することを繰り返すことを特徴とする請求項１に記載の空気清浄器。
【請求項３】
最も前記出口寄りに配置された組の紫外線源は、オゾンを分解する紫外線を放射するものとし、その他の組の紫外線源は、空気を紫外線照射してオゾン及びイオンを発生させるものとしたことを特徴とする請求項２に記載の空気清浄器。
【請求項４】
前記紫外線源と前記出口との間にオゾン分解光触媒を設置したことを特徴とする請求項１、２又は３に記載の空気清浄器。
【請求項５】
前記紫外線源を囲むベルトと、前記ベルトの内側に付着されたオゾン分解光触媒と、前記ベルトを駆動するベルト駆動手段と、前記オゾン分解光触媒表面の汚れを除去するワイパーとを備えたことを特徴とする請求項１、２、３又は４に記載の空気清浄器。
【請求項６】
厚さ５０ｍｍ以内として、壁又はパーテーション内に組み込めることを特徴とする請求項１、２、３、４又は５に記載の空気清浄器。
【請求項７】
前記出口が天井に取り付けられたノズルに連通されていて、該ノズルから室内に空気を吹き出すことを特徴とする請求項１、２、３、４又は５に記載の空気清浄器。
【請求項８】
移動可能に設置されたことを特徴とする請求項１、２、３、４又は５に記載の空気清浄器。
【請求項９】
人感知センサによって人を感知したときは、前記紫外線源を点灯しないようにする制御手段を備えたことを特徴とする請求項１から８のいずれかに記載の空気清浄器。
【請求項１０】
人感知センサによって人を感知したときは、前記ベルト駆動手段を作動させないようにする制御手段を備えたことを特徴とする請求項５に記載の空気清浄器。
【発明の詳細な説明】
【技術分野】
【０００１】
本発明は、空気清浄器であって、さらに詳細には、空気を紫外線照射することによりオゾンを発生させ、オゾンによって殺菌と消臭を行うともに、騒音を減らした空気清浄器に関する。
【背景技術】
【０００２】
空気に紫外線を照射するとオゾンが発生することが知られている。そして、オゾンは、強力な酸化剤であり、この酸化力により殺菌、消毒、脱臭、漂白及び鎮痛作用を発揮することも知られている。オゾンを発生させるためには、空気の紫外線照射の他にも、空気中での無声放電、電解質膜の電気分解等があるが、空気の紫外線照射が、装置が簡単でコストも安くしかも安全性が高く、最も利用し易い。
【０００３】
空気の紫外線照射で発生させたオゾンを利用した空気清浄器としては、下記非特許文献１及び２に記載されたようなものが知られている。この空気清浄器は、ファンで吸い込んだ空気を紫外線ランプ等の紫外線源で照射してオゾンを発生させ、このオゾンの強力な酸化力で空気の殺菌と消臭を行った後に、残ったオゾンをオゾン分解触媒で酸素に分解して、殺菌と消臭のなされた空気を吐き出すものである。また、この空気清浄器は、電源スイッチを入れてから、所定時間たつとタイマーが働き、電源スイッチが切れるようにもなっていて、有毒なオゾンを必要以上に発生しないようにもしている。
【非特許文献１】新井浩一，渡辺  聰，山本  隆，熊谷知哉：院内感染予防のための脱臭・除菌用オゾン発生装置の試作，日本歯科道具学会誌，No．6，P.34〜36，2000年．
【非特許文献２】新井浩一：歯科材料・器械、第２２巻第２号、Ｐ．１２６、２００３年
【発明の開示】
【発明が解決しようとする課題】
【０００４】
前記非特許文献１及び２に開示された空気清浄器は、ファンによって空気を吸い込み吐き出すものであるから、ファンモータの回転音やファンの風切り音等が騒音となるうえ、ファンとファンモータの存在によって、空気清浄器が厚くなるとともに重くなるという問題があった。
【０００５】
本発明は、前記問題に鑑みてなされたものであって、騒音が小さく軽量薄型とされた空気清浄器を提供することを課題とする。
【課題を解決するための手段】
【０００６】
前記課題を解決するため、請求項１に係る発明は、空気を吸い込む入口と、吸い込んだ空気を紫外線照射してオゾンを発生させる複数の紫外線源と、空気を吐き出す出口とを備える空気清浄器において、前記各紫外線源の外部に取り付けられた外部電極と、前記各紫外線源及び前記各外部電極に接続された紫外線源電源回路とを備え、前記紫外線源電源回路は、前記各紫外線源及び前記各外部電極に対して前記入口側から出口側に向かって順次位相の遅れた電圧波を供給することを繰り返すことを特徴とする。
【０００７】
請求項２に係る発明は、請求項１に係る発明において、前記紫外線源は複数本づつの複数組に分けられ、前記紫外線源電源回路は、各組の各紫外線源及び各外部電極に対して前記入口側から出口側に向かって順次位相の遅れた電圧波を供給することを繰り返すことを特徴とする。
【０００８】
請求項３に係る発明は、請求項２に係る発明において、最も前記出口寄りに配置された組の紫外線源は、オゾンを分解する紫外線を放射するものとし、その他の組の紫外線源は、空気を紫外線照射してオゾン及びイオンを発生させるものとしたことを特徴とする。
【０００９】
請求項４に係る発明は、請求項１、２又は３に係る発明において、前記紫外線源と前記出口との間にオゾン分解光触媒を設置したことを特徴とする。
【００１０】
請求項５に係る発明は、請求項１、２、３又は４に係る発明において、前記紫外線源を囲むベルトと、前記ベルトの内側に付着されたオゾン分解光触媒と、前記ベルトを駆動するベルト駆動手段と、前記オゾン分解光触媒表面の汚れを除去するワイパーとを備えたことを特徴とする。
【００１１】
請求項６に係る発明は、請求項１、２、３、４又は５に係る発明の空気清浄器において、その厚さ５０ｍｍ以内として、壁又はパーテーション内に組み込めることを特徴とする。
【００１２】
請求項７に係る発明は、請求項１、２、３、４又は５に係る発明の空気清浄器の出口が天井に取り付けられたノズルに連通されていて、該ノズルから室内に空気を吹き出すことを特徴とする。
【００１３】
請求項８に係る発明は、請求項１、２、３、４又は５に係る発明の空気清浄器が移動可能に設置されたことを特徴とする。
【００１４】
請求項９に係る発明は、請求項１から８のいずれかに係る発明において、人感知センサによって人を感知したときは、前記紫外線源を点灯しないようにする制御手段を備えたことを特徴とする。
【００１５】
請求項１０に係る発明は、請求項５に係る発明において、人感知センサによって人を感知したときは、前記ベルト駆動手段を作動させないようにする制御手段を備えたことを特徴とする。
【発明の効果】
【００１６】
請求項１に係る発明によれば、紫外線源電源回路が各紫外線源及び各外部電極に対して入口側から出口側に向かって順次位相の遅れた電圧波を供給するから、この空気清浄器では、入口側から出口側に向かって高電位又は低電位の部分が移動する。この高電位又は低電位の部分の移動に伴って空気中のイオンが引きずられて加速され、このイオンに空気も引きずられるから、この空気清浄器では、ファンを用いることなく、入口から空気を吸い込み、出口から吐き出すことができる。このように、この空気清浄器は、ファン用いないから、モータの回転やファンの風切り音等の騒音がなく静かである。しかも、この空気清浄器は、ファンとファンモータが無いため薄型軽量化され、設置するスペースが少なくて済むので便利である。
【００１７】
請求項２に係る発明によれば、さらに、紫外線源は複数本づつの複数組に分けられ、紫外線源電源回路は、各組の各紫外線源及び各外部電極に対して入口側から出口側に向かって順次位相の遅れた電圧波を供給することを繰り返すから、一度に複数の紫外線源から出される多量の紫外線により多量のオゾンを発生させて殺菌消臭できるとともに、一度に多量に発生したイオンを複数の外部電極で加速して風量を増加させることができる。
【００１８】
請求項３に係る発明によれば、さらに、最も出口寄りに配置された組の紫外線源は、オゾンを分解する紫外線を放射するものとし、その他の組の紫外線源は、空気を紫外線照射してオゾン及びイオンを発生させるものとしたから、殺菌消臭のために発生させたオゾンを、最も出口寄りに配置された組の紫外線源によって分解して酸素に戻すから、有害なオゾンが除去され安全である。この際、最も出口寄りに配置された組の紫外線源は、オゾンを分解するだけでなく、外部電極によってイオンを加速することによって風量を増加させるから、オゾン分解触媒でオゾンを分解するものに比べて、風量を増加させることができる。
【００１９】
請求項４に係る発明によれば、さらに、紫外線源と出口との間にオゾン分解光触媒を設置したから、このオゾン分解光触媒でも殺菌消臭後の余剰オゾンを分解して酸素にし、有毒なオゾンを出さないようにできていっそう安全である。
【００２０】
請求項５に係る発明によれば、さらに、紫外線源を囲むベルトと、ベルトの内側に付着されたオゾン分解光触媒と、ベルトを駆動するベルト駆動手段と、ベルトの汚れを除去するワイパーとを備えたから、オゾン分解光触媒によって、殺菌消臭後の余剰オゾンを分解して酸素にする。そして、ベルトを駆動してワイパーでオゾン分解光触媒表面の汚れを除去できるので、オゾン分解光触媒の能力を常に良好に維持できるので、いっそう安全である。
【００２１】
請求項６に係る発明によれば、さらに、空気清浄器において、その厚さ５０ｍｍ以内として、壁又はパーテーション内に組み込めるようにしたから、スペースを取らないうえ、ハウスシック症候群を予防できる。また、病院のベッドとベッドとの間や、歯科チェアと歯科チェアとの間のパーテーション内に組み込み、出口から殺菌消臭後の空気をエアカーテンとして吹き出すことにより、肺炎やＭＲＳＡ（耐性黄色ブドウ球菌）等の病原菌の感染を予防できる。さらに、養鶏場や豚舎や牛舎等のパーテーション内に組み込み、出口から殺菌消臭後の空気をエアカーテンとして吹き出すことにより、鳥インフルエンザ等の伝染病を予防できる。
【００２２】
請求項７に係る発明によれば、さらに、空気清浄器の出口が天井に取り付けられたノズルに連通されていて、該ノズルから室内に殺菌消臭後の空気を吹き出すから、吹き出された空気によるエアカーテンで室内の特定の区域を病原菌から守ることができる。
【００２３】
請求項８に係る発明によれば、さらに、空気清浄器が移動可能に設置されたから、所望の個所に殺菌消臭後の空気を吹き出して所望の区域を病原菌から守ることができるとともに、空気清浄器がじゃまなときは簡単にじゃまにならない場所へ移動させることができて便利である。例えば、コンビニのおでん鍋を病原菌か守るため、通常は空気清浄器からコンビニのおでん鍋の上方に空気を吹き出しているが、おでんを取り出すときは空気清浄器を下方へ移動させてじゃまにならないようにできる。
【００２４】
請求項９に係る発明によれば、さらに、人感知センサによって人を感知したときは、紫外線源を点灯しないようにする制御手段を備えたから、人がいるときにオゾンを発生することがなくなり安全である。
【００２５】
請求項１０に係る発明によれば、さらに、人感知センサによって人を感知したときは、ベルト駆動手段を作動させないようにする制御手段を備えたから、人がいるときにベルト駆動手段が騒音を発生することがない。
【発明を実施するための最良の形態】
【００２６】
以下、図面に基づいて、本発明の空気清浄器の第１実施例を説明する。図１は、この空気清浄器の縦断面図である。図２は、この空気清浄器の配線図である。図３は、この空気清浄器の紫外線源電源回路から出力される電圧波を示す図である。
【００２７】
図１に示したように、この空気清浄器１０は、下方に入口１２を有し上方に出口１４を有するハウジング１６内に、上下方向へ延びるブラケット１８が固定され、このブラケット１８上に紫外線源である９本の紫外線ランプ２０を水平に上下方向に９段に並べて配置している。ハウジング１６内面及びブラケット１８表面は、紫外線を良く反射する反射面にされていて、紫外線が有効にオゾン発生に利用されるようになっている。入口１２と出口１４には、風量と風向調節用のルーバ２２が取り付けられている。また、入口１２付近と出口１４付近には、それぞれ吸い込んだ空気又は吐き出す空気から塵埃や細菌等を除去するフィルタ２４が配置されている。
【００２８】
紫外線ランプは、特に紫外線を多く発生させる放電管であり、通常、タングステン（Ｗ）電極を備えていて、アルゴン（Ａｒ）ガスと水銀（Ｈｇ）ガスを０．３％程度封入して、内圧を５０ｍｍＨｇ程度としている。
【００２９】
本実施例では、通常の紫外線ランプを用いてもよいが、改良された紫外線ランプを用いる。この改良された紫外線ランプは、アルゴンガスと水銀ガスの他に、塩化水素（ＨＣｌ）ガス又は沃化水素（ＨＩ）ガスを０．０１％〜０．１％封入するとともに、六硼化ガドリニウム（ＧｄＢ６）の電極を備える。塩化水素ガス又は沃化水素ガスは、赤外線スペクトルを発生させるので、放電管内のガスが速く加熱され、１分以内に所定の安定した放電電流に達して所望のオゾンを発生する。これに対して、従来の紫外線ランプは、所望のオゾンを発生する放電電流に達するまでに数分を要していた。このため、本実施例の紫外線ランプは、従来の紫外線ランプよりも省電力を実現できる。
【００３０】
ただし、塩化水素ガス又は沃化水素ガスを入れすぎると、放電電圧が高くなって、不経済である。さらに速やかに所定の放電電流に達するようにするには、電極面積を従来のものの５０％〜７５％程度に小さくし、放電管の内圧を２５ｍｍＨｇ〜３５ｍｍＨｇと従来のものよりも低くすることが望ましい。また、六硼化ガドリニウムの電極は、従来のタングステンの電極よりも塩化水素ガス又は沃化水素ガスに冒され難く、放電管を長寿命化させるためのものである。
【００３１】
紫外線ランプ２０に替えて、エキシマランプ、紫外線ＬＥＤ（発光ダイオード）等の適宜紫外線源の使用が可能である。エキシマランプとは、有毒な水銀を使用しないようにした紫外線ランプで、ハロゲンガス及び不活性ガスを含む無水銀の混合ガスを封入した紫外線ランプである。なお、有害な水銀を封入している紫外線ランプは、近いうちに使用禁止になるから注意を要する。
【００３２】
本実施例では、９本の紫外線ランプ２０は、３本づつの３組Ａ、Ｂ、Ｃに分けられる。入口１２側の２組Ａ、Ｂの紫外線ランプ２０は、波長１７０〜２００ｎｍの紫外線を出すものであり、空気を紫外線照射することにより、殺菌するとともにオゾンとイオンを発生させる。出口１４側の１組Ｃの紫外線ランプ２０は、波長２００〜３６０ｎｍの紫外線を出すものであり、オゾンに吸収されてオゾンを酸素に戻す働きを有するとともに、紫外線による殺菌作用が強い。
【００３３】
図２に示したように、紫外線ランプ２０は、内部に一対の内部電極２６が設けられていて、内部電極２６間で放電させることにより、紫外線を発生させるものである。この紫外線ランプ２０は、さらに表面に外部電極２８を固定している。外部電極２８は、１本の導線又は細長い金属板からなり、誘電体（絶縁体）３０でカバーされるとともに、この誘電体３０によって紫外線ランプ２０表面に固着される。
【００３４】
コンセントから得られた電灯線電圧は、プラグ３２、電源コード３４、電源回路３６に加えられる。電源回路３６は、マイコン３８と紫外線源電源回路であるインバータ４０に電力を供給する。電源回路３６とインバータ４０との間には、紫外線源スイッチ４２が介在される。マイコン３６からの指令で紫外線源スイッチ４２がＯＮになると、インバータ４０が紫外線ランプ２０を点灯するに必要な電圧を発生する。
【００３５】
インバータ４０は、３本の給電線４４Ａ、４４Ｂ、４４Ｃそれぞれに、図３に示したように、紫外線ランプ２０を作動させるに必要な電圧で１２０°づつ位相のずれた負極性の矩形波（パルス）４６Ａ、４６Ｂ、４６Ｃを送り出す。この矩形波４６Ａ、４６Ｂ、４６Ｃは、各紫外線ランプ２０の一方の内部電極２６と外部電極に加えられる。各紫外線ランプ２０の他方の内部電極２６はアースされており、各紫外線ランプ２０とは直列に安定器（図示省略）が接続される。ここで、矩形波４６Ａ、４６Ｂ、４６Ｃを負極性とするのは、空気中では、−イオンよりも＋イオンが生成されやすいので、＋イオンを外部電極２８に引き付け易くするためである。
【００３６】
ところで、インバータ４０は、完全な矩形波を出力する必要はなく、三相交流を生成し、この三相交流を紫外線ランプ２０の作動に必要なだけ昇圧し、これを半波整流したような電圧波等、適宜波形の電圧波を入口１２側から出口１４側に向かって１２０°づつ位相を遅らしながら供給するものでもよい。
【００３７】
紫外線源スイッチ４２からの出力はパイロットランプ４８にも加えられ、紫外線源スイッチ４２がＯＮになるとパイロットランプ４８が点灯して、空気清浄器１０が作動していることが分かるようになっている。パイロットランプ４０には、消費電力の小さなＬＥＤ（発光ダイオード）を用いる。
【００３８】
マイコン３８には、人感知センサ５０と手動スイッチ５２が接続される。人感知センサ５０は、人又は動物から放射される赤外線を検出することにより、人又は動物の存在を検出するものである。手動スイッチ５２は、紫外線源スイッチ４２を強制的にＯＮするものである。
【００３９】
マイコン３０は、時計を内蔵していて、図示しない表示部に時間を表示する他、設定時間毎に紫外線源スイッチ５２をＯＮとして、空気清浄器１０を作動開始させて殺菌消臭を行い、空気清浄器１０の作動開始から設定された作動継続時間が経過すると、紫外線源スイッチ４２をＯＦＦとして、空気清浄器１０を作動停止して殺菌消臭を終了するものである。ただし、人感知センサ２０が人又は動物の存在を検出しているときは、設定時間になった場合にも紫外線源スイッチ１４をＯＮとせずに、人感知センサ５０によって人又は動物の存在を検出できなくなってから、紫外線源スイッチ４２をＯＮとして殺菌消臭を開始し、設定された作動継続時間後に紫外線源スイッチ４２をＯＦＦとして殺菌消臭を終了する。これで、有毒なオゾンを人又は動物がいるときは発生させないようにするとともに、過剰なオゾン発生を防止して、安全を図ることができる。手動スイッチ５２の操作で紫外線源スイッチ４２をＯＮとした場合も、設定された作動継続時間が経過すると、紫外線源スイッチ４２をＯＦＦとなって、空気清浄器１０を作動停止するようになっている。
【００４０】
空気清浄器１０を作動させる設定時間及び作動継続時間は、図示しないキーによって、殺菌消臭する室の大きさ等に応じて調節できるようにする。この設定時間の間隔が長過ぎたり、作動継続時間が短すぎると、殺菌効果が不充分となり、この設定時間間隔が短過ぎたり、作動継続時間が長すぎると有毒のオゾンの発生量が多くなって危険だからである。設定時間又は作動継続時間の設定操作したときは、操作した内容が表示部に表示されるようになっていて、それらの操作を容易にしている。
【００４１】
次に、この空気清浄器１０の動作について説明する。紫外線源スイッチ４２がＯＮになると、インバータから３本の給電線４４Ａ、４４Ｂ、４４Ｃそれぞれに１２０°づつ位相のずれた矩形波４６Ａ、４６Ｂ、４６Ｃが送り出される。
【００４２】
最初の矩形波４６Ａは、紫外線ランプ２０の各組Ａ、Ｂ、Ｃ内で最も入口１２側の紫外線ランプ２０の外部電極２８と一方の内部電極２６とに加えられる。これで、矩形波４６Ａを加えられた３本の紫外線ランプ２０が点灯して紫外線による殺菌がなされるとともに、オゾンとイオンが発生し、オゾンによる空気の殺菌と消臭がなされる。ただし、最も出口１４側の組Ｃの紫外線ランプ２０は、オゾンを分解して酸素に戻している。
【００４３】
次の矩形波４６Ｂは、各組Ａ、Ｂ、Ｃ内で真中に位置する紫外線ランプ２０の外部電極２８と一方の内部電極２６とに加えられる。これで、矩形波４６Ａを加えられた場合と同様に、空気の殺菌と消臭がなされ、最も出口１４側の組Ｃの紫外線ランプ２０によってオゾンが分解されて酸素に戻されている。
【００４４】
次の矩形波４６Ｃは、各組Ａ、Ｂ、Ｃ内の最も出口１４側の紫外線ランプ２０の外部電極２８と一方の内部電極２６とに加えられる。これで、矩形波４６Ａを加えられた場合と同様に、空気の殺菌と消臭がなされ、最も出口１４側の組Ｃの紫外線ランプ２０によってオゾンが分解されて酸素に戻されている。
【００４５】
この間、各紫外線ランプ２０の外部電極２８には、入口１２側から出口１４側に向かって順次位相の遅れた矩形波４６Ａ、４６Ｂ、４６Ｃが供給されるから、入口１２側から出口１４側に向かって低電位の部分が移動する。この低電位の部分の移動に伴って空気中の＋イオンが引きずられて加速され、この＋イオンに空気も引きずられて加速されるから、ファンを用いることなく、入口１２から空気を吸い込み、出口１４から吐き出すことができる。また、紫外線ランプ２０により空気が加熱されることによる対流によっても、空気を入口１２から吸い込み出口１４から吐き出す作用が増強される。
【００４６】
こうして、各組Ａ、Ｂ、Ｃ内の各紫外線ランプ２０が入口１２側から出口１４側に向かって順次点灯することを繰り返すことにより、入口１２から吸い込んだ汚れた空気は殺菌と消臭がなされ、きれいになった空気が出口１４から吐き出される。この際、最も出口１４側の組Ｃの紫外線ランプ２０によってオゾンの多くは分解され酸素に戻る。また、最も出口１４側の組Ｃの紫外線ランプ２０付近では、オゾン分解光触媒５４がハウジング１６内面に塗布されていて、このオゾン分解光触媒５４によっても、オゾンを分解して酸素に戻すようにもしている。これで、出口１４からは、極力オゾンが出ないようにされている。
【００４７】
ところで、インバータ４０から出力される矩形波４６Ａ、４６Ｂ、４６Ｃは、図示しないつまみで、周波数変更可能にされるとともに、パルス幅変調可能にもされている。周波数を変えることによって風速の調節を行うことができ、パルス幅を変えることによって殺菌消臭能力を調節できる。
【００４８】
本実施例の空気清浄器１０によれば、ファンを用いずに、空気を主に電気力によって加速しているから、モータの回転やファンの風切り音等の騒音がなく静かである。しかも、ファンとモータが無いから薄くできるうえ軽量化もできる。こうして、薄型軽量化された本実施例の空気清浄器１０は、設置するスペースが少なくて済むので便利である。また、人感知センサ５０によって人又は動物を感知したときは、マイコン３８は紫外線ランプ２０を点灯しないように制御するから、人又は動物がいるときにオゾンを発生することがなくなり安全である。
【００４９】
図４に本発明の第２実施例を示す。本実施例では、空気清浄器１０の入口１２付近と出口１４付近に配置された一対のプーリ５６間にベルトが５８掛け渡されていて、このベルト５８内に９本の紫外線ランプ２０が配置されている。ベルト５８の内面にはオゾン分解光触媒５４が付着されている。オゾン分解光触媒５４表面の汚れを除去するワイパー６０と、ワイパー６０に水分を補給する給水部６２も備えられる。一方のプーリ５６はモータ６４に連結されている。このモータ６４は、第１実施例のマイコン３８と同じ機能のマイコンからの指令で動作する。
【００５０】
このマイコンは、その他、設定時間毎にモータ６４を回転させて、オゾン分解光触媒５４表面を清掃して汚れを除去し、清掃開始から設定された作動継続時間が経過すると、モータ６４を停止させて、オゾン分解光触媒５４表面の清掃を終了させる働きもある。ただし、人感知センサ５０が人又は動物の存在を検出しているときは、設定時間になった場合にも、オゾン分解光触媒５４表面の清掃を開始せずに、人感知センサ５０によって人又は動物の存在を検出できなくなってから、オゾン分解光触媒５４表面の清掃を開始し、設定された作動継続時間後にオゾン分解光触媒５４表面の清掃を終了する。これで、人又は動物がいるときは、騒音が発生させないようにするとともに、オゾン分解光触媒５４で過剰なオゾン分解するから安全である。さらに、ときどきベルト５８を駆動してワイパー６０でオゾン分解光触媒５４表面の汚れを除去できるので、オゾン分解光触媒５８の能力を常に良好に維持でき、いっそう安全である。
【００５１】
これ以外は、本実施例は、前記第１実施例と同じであるから、図４に図1と共通な部分に同じ符号を付すに止めて、これ以上の説明は省略する。
【００５２】
ところで、本発明は、前記実施例のものに限るものではなく、例えば、次のように種々の変形が可能である。
【００５３】
前記両実施例では、最も出口１４側の組Ｃにオゾン分解用の紫外線ランプ２０を用いたが、全部の紫外線ランプ２０をオゾンとイオン発生用のものとしてもよい。この場合は、有害なオゾンを除去するため、出口１４の前にオゾン分解用触媒を配置することが望ましい。
【００５４】
前記両実施例では、紫外線ランプ２０を３本づつの３組Ａ、Ｂ、Ｃに分けたが、必ずしも紫外線ランプ２０を３本づつの３組Ａ、Ｂ、Ｃに分けずに、９本で１組としてもよい。この場合は、９本の紫外線ランプ２０に入口１２側から出口１４側に向かって位相が４０°づつ遅れた矩形波等、適宜波形の電圧波を順次供給することを繰り返すことになる。また、紫外線ランプ２０の組分けでは、組数と各組内の紫外線ランプ２０の本数を任意の数にしてもよい。この場合、各組内の紫外線ランプ２０の数に応じた数の矩形波等の適宜波形の電圧波を順次位相を遅らしながら各組へ送るようにする。
【００５５】
前記両実施例では、インバータ４２では負極性の電圧波（矩形波）を発生させたが、インバータ４２が正極性の電圧波を発生するようにしてもよい。
【００５６】
前記両実施例では、空気清浄機１０を床に設置するものとしたが、空気清浄器１０の厚さを５０ｍｍ以下にして、これを壁又はパーテーション（仕切り）内に埋め込むようにしてもよい。この場合は、設置するスペースを全く必要としないので便利である。
【００５７】
前記両実施例では、空気清浄機１０の出口１４から空気を吹き出すようにしたが、空気を出口１４から導管によって適宜個所のノズル（例えば、天井に取り付けられたノズル）まで導いて、このノズルから吹き出すようにしてもよい。この場合は、室内の特定の区域を病原菌から守ることができる。
【００５８】
前記実施例では、空気清浄機１０は、位置固定されているが、水平方向又は上下方向へ移動自在に設置してもよい。この場合は、所望の個所に殺菌消臭後の空気を吹き出して所望の区域を病原菌から守ることができるとともに、空気清浄器１０がじゃまなときは、簡単にじゃまにならない場所へ移動させることができて便利である。
【図面の簡単な説明】
【００５９】
【図１】本発明の第１実施例に係る空気清浄器の縦断面図である。
【図２】前記空気清浄器の配線図ある。
【図３】紫外線源電源回路から出力される電圧波を示す図である。
【図４】本発明の第２実施例に係る空気清浄器の縦断面図である。
【符号の説明】
【００６０】
１０    空気清浄器
１２    入口
１４    出口
２０    紫外線ランプ（紫外線源）
２６    内部電極
２８    外部電極
３８    マイコン（制御手段）
４０    インバータ（紫外線源電源回路）
４６Ａ、４６Ｂ、４６Ｃ    矩形波（電圧波）
５０    人感知センサ
５４    オゾン分解光触媒
【図１】
0004637726.tif 000002
【図２】
0004637726.tif 000003
【図３】
0004637726.tif 000004
【図４】
0004637726.tif 000005